(57)【要約】【課題】  トラッキング現象を防止することを更に改善することを目的とする。【解決手段】  筐体１の表面に商用電源に接続する一対のプラグ金具２ａ及び２ｂを設けた電子機器において、この一対のプラグ金具２ａ及び２ｂの間のこの筐体１の表面１ａに連なる段差４ａにより囲まれた凹部４を設けたものである。【選択図】        図１
2005339888.tif 000002
【特許請求の範囲】
【請求項１】
筐体の表面に商用電源に接続する一対のプラグ金具を設けた電子機器において、
前記一対のプラグ金具の間の前記筐体の表面に連なる段差により囲まれた凹部を設けたことを特徴とする電子機器。
【発明の詳細な説明】
【技術分野】
【０００１】
本発明は筐体の表面に商用電源に接続する一対のプラグ金具を設けた交流−直流変換電源アダプタ装置、充電装置等の電子機器に関する。
【背景技術】
【０００２】
一般にポータブル電子機器等を商用電源を使って動作させるため交流電源を直流電源に変換する筐体の表面に商用電源に接続する一対のプラグ金具を設けた交流−直流変換電源アダプタ装置が使用されている。また二次電池を充電するのに、筐体の表面に商用電源に接続する一対のプラグ金具を設けた充電装置が使用されている。
【０００３】
この交流−直流変換電源アダプタ装置、充電装置等の電子機器をこの一対のプラグ金具を使用して商用電源即ちコンセントに挿入して接続したときには、往々にしてそのまま長期間接続したままとなる。
【０００４】
このようなときに、この筐体の表面の一対のプラグ金具間には埃が蓄積し、蓄積された埃は湿度を吸うことで、この一対のプラグ金具間に掛かる電圧の影響で、微小電流が発生し、この電流が原因でこの埃が炭化現象を起こし、所謂トラッキング現象が発生し、この交流−直流変換電源アダプタ装置や充電装置を破損するおそれがあった。
【０００５】
従来、このトラッキング現象を防止するのに特許文献１に記載の如き、この一対のプラグ金具の間の筐体表面の全面に複数の溝を設け、両プラグ金具間の沿面距離を伸ばし、このトラッキング現象を防止するようにしたものが提案されている。
【特許文献１】特開平１０−２４１７７５号公報
【発明の開示】
【発明が解決しようとする課題】
【０００６】
然しながら、特許文献１記載の発明では、一対のプラグ金具間の複数の溝が筐体の全面に亘って設けられているので、この溝の上及び下の開放端部から埃が入り、この一対のプラグ金具間に埃が入り易く、この為充分なトラッキング現象を防止することにはならない不都合があった。
【０００７】
本発明は斯る点に鑑み、このトラッキング現象を防止することを更に改善することを目的とする。
【課題を解決するための手段】
【０００８】
本発明電子機器は、筐体の表面に商用電源に接続する一対のプラグ金具を設けた電子機器において、この一対のプラグ金具の間のこの筐体の表面に連なる段差により囲まれた凹部を設けたものである。
【発明の効果】
【０００９】
本発明によれば、一対のプラグ金具の間の筐体の表面に連なる段差により囲まれた凹部を設けたので、この凹部により一対のプラグ金具の間の沿面距離を伸ばすことができると共にこのプラグ金具を商用電源に接続するコンセントに挿入したときは、この凹部は連なる段差と例えば壁面とにより外部と遮断され、埃が入り難くトラッキング現象を防止することを更に改善することができる。
【発明を実施するための最良の形態】
【００１０】
以下、図面を参照して、本発明電子機器を実施するための最良の形態の例につき説明する。図１〜図３は本発明を交流電源（商用電源）を直流電源に変換する交流−直流変換電源アダプタ装置に適用した例を示す。
【００１１】
図１〜図３において、１はこの交流−直流変換電源アダプタ装置の筐体を示し、この筐体１の一方の主面１ａに一対のプラグ金具２ａ及び２ｂを設ける。この一対のプラグ金具２ａ及び２ｂを例えば建物の壁面に設けられた商用電源の供給用の電源コンセントのプラグ挿入口に挿入できる如くする。
【００１２】
この筐体１内に周知の交流電源を直流電源に変換する交流−直流変換回路（図示せず）を設け、この交流−直流変換電源アダプタ装置は出力コード３を通じてポータブル電子機器等の他の電子機器に直流電源を供給する。
【００１３】
本例においては、この一対のプラグ金具２ａ及び２ｂの間の筐体１の一方の主面の表面１ａに図１、図２に示す如く連なる段差４ａにより囲まれた長方形の凹部４を設ける。
【００１４】
本例においては、この長方形の凹部４のプラグ金具２ａ及び２ｂに平行する方向の長さＷ２を、図３に示す如くこのプラグ金具２ａ，２ｂの長さＷ１より大とし、この長方形の凹部４がプラグ金具２ａ，２ｂの両側に夫々はみ出る形状とする。
【００１５】
本例によれば、一対のプラグ金具２ａ及び２ｂの間の筐体１の表面１ａに連なる段差４ａにより囲まれた長方形の凹部４を設けたので、この長方形の凹部４によりこの一対のプラグ金具２ａ及び２ｂ間の沿面距離が伸びると共にこの一対のプラグ金具２ａ及び２ｂを商用電源に接続する例えば建物の壁面に設けた電源コンセントに挿入したときは、この長方形の凹部４は連なる段差４ａと例えば壁面とにより外部と遮断され、埃が入り難く、トラッキング現象がおこり難くなり、トラッキング現象を防止することを更に改善することができる。
【００１６】
本例によれば、一対のプラグ金具２ａ及び２ｂの間の筐体１の表面１ａに連なる段差４ａにより囲まれた凹部４を設けるだけなので、簡易な構造のため、余分な金型費用の発生が無く、また余分な組み立て工数も必要としないため、従来コストで、二次災害となるトラッキング現象を抑えることができる。
【００１７】
また本例によれば、プラグ金具２ａ，２ｂ部分の寸法の変更、変化を必要としないため、各国安全規格の要求を満足することができる。
【００１８】
また、図４は本発明を実施するための最良の形態の他の例を示す。この図４につき説明するに、図４において、図１〜図３に対応する部分には同一符号を付し、その詳細説明は省略する。この図４例は図１〜図３例において、一対のプラグ金具２ａ及び２ｂの間の筐体１の表面１ａに形成した連なる段差４ａにより囲まれた長方形の凹部４を、この一対のプラグ金具２ａ及び２ｂを夫々囲むような連なる段差により囲まれたエ字状の凹部５とし、その他は図１〜図３例と同様に構成したものである。
【００１９】
この図４例においても、図１〜図３例と同様の作用効果が得られることは容易に理解できよう。
【００２０】
上述例は本発明を交流−直流変換電源アダプタ装置に適用したものにつき述べたが、本発明を図５に示す如き、リチウムイオン電池等の二次電池を充電する充電装置にも適用できる。この図５につき説明するに、この図５において、図１〜図４に対応する部分には同一符号を付し、その詳細説明は省略する。
【００２１】
図５において、１０は、この充電装置の筐体を示し、この筐体１０の一方の主面１０ａに図１〜図４と同様に一対のプラグ金具２ａ及び２ｂを設ける。この一対のプラグ金具２ａ及び２ｂを例えば建物の壁面に設けられた商用電源の供給用の電源コンセントのプラグ挿入口に挿入できる如くする。
【００２２】
この筐体１０の他方の主面に図５に示す如く、充電しようとする二次電池を装着する二次電池装着部１１ａ及び１１ｂを周知の如く設ける。
【００２３】
この筐体１０内に周知の商用電源を用いて、二次電池を充電する充電回路を設け、この二次電池装着部１１ａ及び１１ｂに装着した二次電池を商用電源を充電電源として充電する如く構成する。
【００２４】
この充電装置の筐体１０の一方の主面の表面１０ａの一対のプラグ金具２ａ及び２ｂ間に図１〜図３又は図４に示す如く連なる段差４ａにより囲まれた長方形の凹部４又は連なる段差により囲まれたエ字状の凹部５を設ける。
【００２５】
この図５に示す如き充電装置においても、図１〜図３例と同様の作用効果が得られることは容易に理解できよう。
【００２６】
また、図６及び図７は、筐体１の表面１ａに一対のプラグ金具２ａ及び２ｂの外にアース端子６を設けた電子機器の例を示す。この図６、図７につき説明するに、図１〜図３に対応する部分には同一符号を付し、その詳細説明は省略する。
【００２７】
図６、図７例においては、この筐体１の表面１ａの一対のプラグ金具２ａ及び２ｂ間とプラグ金具２ａ及びアース端子６間とプラグ金具２ｂ及びアース端子６間とに連なる段差７ａにより囲まれた略Ｔ字状凹部７を設け、その他は図１〜図３と同様に構成する。
【００２８】
この図６、図７例においても図１〜図３例と同様の作用効果が得られることは容易に理解できよう。
【００２９】
尚、本発明は上述例に限ることなく、本発明の要旨を逸脱することなく、その他種々の構成が採り得ることは勿論である。
【図面の簡単な説明】
【００３０】
【図１】本発明電子機器を実施するための最良の形態の例を示す斜視図である。
【図２】図１の要部の断面図である。
【図３】図１の要部の正面図である。
【図４】本発明を実施するための最良の形態の他の例を示す要部の正面図である。
【図５】充電装置の例を示す斜視図である。
【図６】本発明を実施するための最良の形態の他の例を示す斜視図である。
【図７】図６の正面図である。
【符号の説明】
【００３１】
１，１０‥‥筐体、２ａ，２ｂ‥‥プラグ金具、３‥‥出力コード、４，５，７‥‥凹部、４ａ，７ａ‥‥段差、６‥‥アース端子
【図１】
2005339888.tif 000003
【図２】
2005339888.tif 000004
【図３】
2005339888.tif 000005
【図４】
2005339888.tif 000006
【図５】
2005339888.tif 000007
【図６】
2005339888.tif 000008
【図７】
2005339888.tif 000009